【事件の表示】
　特許第２６０２７９２号「パチンコ機」の請求項１ないし２に係る特許に対する特許異議の申立てについて、次のとおり決定する。
【結論】
　訂正を認める。
　特許第２６０２７９２号の請求項１に係る特許を維持する。
【理由】
１．手続の経緯
　本件特許第２６０２７９２号発明は、平成２年１２月２８日に出願された実願平２−４０５２１９号を特願平６−３３２７９５号に変更したものの一部を更に分割し、特願平７−６６６７９号として特許出願され、平成９年１月２９日にその特許の設定の登録がなされ、その後、安室順弘、細江裕実より特許異議の申立がなされ、取消理由通知がなされ、その指定期間内である平成１０年４月２７日に訂正請求がなされ、その後、訂正拒絶理由が通知され、その指定期間内である平成１１年１月１２日に訂正拒絶理由通知に対して手続補正書が提出されたものである。
２．訂正の適否についての判断
（１）訂正請求に対する補正の適否について
　　手続補正の内容は、全文訂正明細書の特許請求の範囲の請求項１の、遊技盤側データ出力端子が配置されている中継基板の設置位置について、遊技盤の裏面側に設けることを限定するとともに、特許請求の範囲の補正に伴い、全文訂正明細書の発明の詳細な説明中の対応箇所を訂正するものであり、訂正請求の要旨を変更していないから、特許法第１２０条の４第３項で準用する同法第１３１条第２項の規定の規定に適合するので、当該補正を認める。
（２）訂正の要旨
▲１▼特許請求の範囲の請求項１ないし２を次のとおりに訂正するものである。
「【請求項１】　遊技盤とパチンコ機本体とが分離自在なパチンコ機において、パチンコ機から外部の管理装置側へ出力される各種の外部出力情報を中継するデータ出力端子を、遊技盤側の情報を中継する遊技盤側データ出力端子と、パチンコ機本体側の情報を中継するパチンコ機本体側データ出力端子とに分け
ると共に、上記遊技盤側データ出力端子を遊技盤の裏面側に設けられた中継基板内に配置し、上記パチンコ機本体側データ出力端子をパチンコ機本体側に設けられたパチンコ機本体用中継基板内に配置し、遊技盤側データ出力端子とパチンコ機本体側データ出力端子とを
▲２▼段落番号【０００４】の記載事項を次のとおりに訂正する。
「【課題を解決するための手段】本発明は、上記に鑑み提案されたもので、
遊技盤とパチンコ機本体とが分離自在なパチンコ機において、
ると共に、上記遊技盤側データ出力端子を遊技盤の裏面側に設けられた中継基板内に配置し、上記パチンコ機本体側データ出力端子をパチンコ機本体側に設けられたパチンコ機本体用中継基板内に配置し、遊技盤側データ出力端子とパチンコ機本体側データ出力端子とを別個に設けたものである。
　と訂正する。
▲３▼段落番号【０００５】を削除して、それ以下の段落番号を１繰り上げる。
▲４▼段落番号【００２７】を、
「【００２６】
　【発明の効果】
　以上のように、本発明によれば、データ出力端子を、遊技盤側の情報を中継する遊技盤側データ出力端子と、パチンコ機本体側の情報を中継するパチンコ機本体側データ出力端子とに分けて、
遊技盤側データ出力端子を遊技盤の裏面側に設けられた中継基板内に、パチンコ機本体側データ出力端子をパチンコ機本体側に設けられたパチンコ機本体用中継基板内に
データ出力
（３）訂正の目的、新規事項の有無及び拡張・変更の存否
　上記訂正事項▲１▼は、請求項１及び２をまとめて新たに請求項１としたものであり、願書に添付した明細書及び図面に記載した事項の範囲内であり、特許請求の範囲の減縮を目的とし、実質的に特許請求の範囲を拡張・変更するものではない。
　上記訂正事項▲２▼〜▲４▼は、特許請求の範囲の訂正に伴い、発明の詳細な説明中の対応箇所を訂正するものである（実質的に請求項１と２がまとめられたことに対応して段落番号【０００４】と段落番号【０００５】をまとめて新たな段落番号【０００４】とし、それに伴い段落番号【０００５】を削除し、以降の段落番号を繰り上げ、段落番号【００２７】の発明の効果の欄を、特許請求の範囲に対応させて明瞭に記載）から、明りょうでない記載の釈明を目的とし、且つ、願書に添付した明細書及び図面に記載した事項の範囲内である。
（４）独立特許要件の判断と訂正の適否のまとめ
　以下に述べるように、訂正後の発明は特許出願の際独立して特許を受けることができない発明とすることはできないから、上記訂正は、特許法第１２０条の４第２項及び同条第３項で準用する第１２６条第２乃至４頃の規定に適合するので、当該訂正を認める。
３．異議申立について
（１）異議申立て理由の概要
　異議申立人・安室順弘は、特開昭６４−５５８０号公報、特開昭６３−２８３６７０号公報、特開昭６３−１６８１９４号公報、特開昭５９−１０５４７６号、特開昭５８−４９１６６号公報をそれぞれ甲第１〜５号証として提出し、本件発明は、特許法第２９条第２項の規定により特許を受けることができないものであると主張している。
　また、異議申立人・細江裕実は、実願昭５５−１１８５２７号（実開昭５７−４２８７５号）のマイクロフィルム、特開平２−２６８７８６号公報、特開昭６３−１６８１９４号公報をそれぞれ甲第１号証、甲第２号証、甲第３号証として提出し、本件発明は、特許法第２９条第２項の規定により特許を受けることができないものであると主張している。
（２）甲各号証の記載事項
ア．異議申立人・安室順弘が提出した甲第１号証（特開昭６４−５５８０号公報）には、「タンクレール２１の賞品球が不足すると、賞品球切れ出力は第１端子板４０のコネクタ１３より外部に出力され、遊技盤に設けた特定の入賞装置に遊技球が入賞すると中継基板４１のコネクタＴ１より外部に特定状態信号を出力するパチンコ遊技機において、前記第１端子板４０と中継基板４１を裏面に設けたパチンコ遊技機。」が記載されている。
　甲第２号証（特開昭６３−２８３６７０号公報）には、「パチンコ機の裏面の一隅に端子板ボックスを設け、該端子板ボックス内にはパチンコ機に配設した電気的部材とパチンコ機の外部に設けた外部処理装置とを接続するための複数の端子板を収設し、該端子板には入出力のための接続端子を設け、上記電気的部材と外部処理装置とを電気的に連絡する配線を上記接続端子を介して接続するパチンコ機の配線処理装置。」が記載されている。
　甲第３号証（特開昭６３−１６８１９４号公報）には、「パチンコ機には少なくとも入賞球があったことを検出する入賞球検出器と、賞球排出装置の上タンク内の予備球の残量を検出する完了検出器と、特別選抜態様が発生したことを検出する特別選抜態様検出部とを設け、パチンコ機裏側上部一側には、上記各検出手段からの信号をパチンコ機外部へ出力するための接続端子が集約的に設けられてなる入出力装置を設け、上記入賞球検出器、完了検出器、特別遊技態様検出器からの信号線の一端を上記入出力装置へ集合させて接続したことを特徴とするパチンコ機の入出力装置。」（特許請求の範囲）が記載されている。
　甲第４号証（特開昭５９−１０５４７６号公報）には、「１はパチンコ機の機枠、２は機枠１の前面一側に開閉自在に装着された前面枠で、その前面枠２の裏面には遊技盤３が穿孔４に臨むように着脱自在に設置される。」（公報第２頁右上欄第６行〜第９行）との記載があり、第１図には、遊技盤３が分離自在となっている様子が示されている。
　甲第５号証（特開昭５８−４９１６６号公報）には、「前枠１２の後面には合成樹脂製の基枠２１が固定されており、その基枠２１の後面には同じく合成樹脂製の基板２２がその左側において後方への開閉回動可能に、かつ取り外し可能に支持されている。基板２２の前面には遊技盤２３が取り外し可能に取り付けられている。」（公報第２頁左上欄第１０行〜第１５行）との記載があり、第１図には、遊技盤２３が分離自在となっている様子が示されている。
　イ．異議申立人・細江裕実が提出した甲第１号証（実願昭５５−１１８５２７号（実開昭５７−４２８７５号）のマイクロフィルム）には、「前面枠１に装着したコイン投入阻止装置２、精算スイッチ３、スピーカー４及び前面枠１に蝶番５を介して着脱・開閉自在に係合する裏機構板６に装着したコイン検出器７、コイン不足検出器８、コイン排出装置９から成る、コイン式パチンコ機本体の機能に係る配線系統（Ａブロック）と遊技盤１７に設けた打球供給装置８、入賞打球検出器１９、入賞具変動装置２０、ターゲット検出器群２１、マトリックス２２、得点表示装置２３、及び打止表示装置２４等から成る、遊技内容に係る配線系統（Ｂブロック）とを分離して夫々中継基板に集約し、この中継基板と遊技盤の裏面に装着する制御装置とを接続したコイン式パチンコ機の配線処理構造。」が記載されている。
　甲第２号証（特開平２−２６８７８６号公報）には、「複数のパチンコ機を列設したパチンコ機列と、各パチンコ機に対して、玉の補給や打止め表示、入賞球数の集計、アウト球数の集計、出玉率の計算、或いは遊技の停止等を管理制御する管理装置とを備えたパチンコ遊技店。」が記載されている。
　甲第３号証（特開昭６３−１６８１９４号公報）は、異議申立人・安室順弘が提出した甲第３号証であり、先述したとおりである。
（３）対比・判断
　本件発明と異議申立人・安室順弘が提出した甲第１〜５号証に記載された発明及び異議申立人・細江裕実が提出した甲第１〜３号証に記載された発明とを対比すると甲各号証の何れにも、本件発明を特定する事項である、「遊技盤とパチンコ機本体とが分離自在なパチンコ機において、遊技盤側データ出力端子を遊技盤の裏面側に設けられた中継基板内に配置し、上記パチンコ機本体側データ出力端子をパチンコ機本体側に設けられたパチンコ機本体用中継基板内に配置し、遊技盤側データ出力端子とパチンコ機本体側データ出力端子とを別個に設けた」点については記載も示唆もない
　仮に、遊技盤とパチンコ機本体とが分離自在なパチンコ機に、複数の中継基板を設ける構成を適用することが容易であるとしても、遊技盤側データ出力端子を遊技盤の裏面側に設けられた中継基板内に配置し、パチンコ機本体側データ出力端子をパチンコ機本体側に設けられたパチンコ機本体用中継基板内に配置する構成が直ちに導かれるものではない。
　そして、本件発明は、上記構成要件を具備することにより、明細書記載の「配線処理が容易で、外部出力用の配線を遊技盤からパチンコ機本体へ接続する必要がなくなり、作業性が向上する」という格別の効果を奏するものであり、本件発明が上記各刊行物に記載された発明から容易に発明をすることができたものとはいえない。
（４）なお、異議申立人・安室順弘は、「甲第１号証の出願時において、・・・分離式のパチンコ機は常識であり、この甲第１号証のパチンコ機も、遊技盤とパチンコ機本体とが分離自在であることを前提としてしたものである。このような前提において、上述のような第２端子板４１と第１端子板４０を、それぞれ遊技盤とパチンコ機本体の裏面に相当する位置に離して設けるからには、第２端子板４１が遊技盤裏面に配置され、第１端子板４０がパチンコ機本体裏面に配置されていることは当然なことと言わざるを得ない。すなわち・・・甲第１号証の構成を前提条件である甲第４号証または甲第５号証の構成に適用して本件発明を得ることは、当業者にとって常識的なことに過ぎない。」（異議申立書第１１頁１２行〜２２行）と主張している。しかし、甲第１号証記載の発明が遊技盤とパチンコ機本体とが分離自在であることを前提としてしたものであるとの記載がない以上、甲第１号証記載の発明が遊技盤とパチンコ機本体とが分離自在であることを前提としてしたものであるとは言えず、したがって、第２端子板４１と第１端子板４０を、それぞれ遊技盤とパチンコ機本体の裏面に相当する位置に離して設けるからといって、第２端子板４１が遊技盤裏面に配置され、第１端子板４０がパチンコ機本体裏面に配置されているものとも言えないので、この主張は採用できない。
　また、異議申立人・細江裕実は、「・・・「遊技盤とパチンコ機本体とが分離自在なパチンコ機」は、甲上記甲第１号証の「遊技盤とパチンコ機本体とが分離自在なパチンコ機」」（甲第１号証の第６頁第２行目〜第１７行目）のうちの記述で示されており、」（異議申立書第１１頁５行〜７行）と主張している。
　しかし、甲第１号証には、上記第６頁第２行目〜第１７行目を含めても、配線を２系統に分離し、夫々を中継基板に集約して制御装置に接続したものではあるが、遊技盤とパチンコ機本体とが分離自在なパチンコ機であるとの記載はなく、この主張は採用できない。
（４）まとめ
　以上のとおりであり、また、他に本件特許を取り消すべき理由を発見しないから、本件発明は出願の際独立して特許を受けることができるものと認める。
３．むすび
　したがって、異議申立の理由及び証拠方法によっては、本件発明に係る特許を取り消すことはできない。
　また、他に本件発明に係る特許を取り消すべき理由を発見しない。
　よって、結論のとおり決定する。
【異議決定日】
平成１１年９月２９日（１９９９．９．２９）
【訂正の要旨】
訂正の要旨
▲１▼訂正事項ａ
　特許請求の範囲の請求項１ないし２に係る記載、を次のように訂正する。
「【請求項１】遊技盤とパチンコ機本体とが分離自在なパチンコ機において、パチンコ機から外部の管理装置側へ出力される各種の外部出力情報を中継するデータ出力端子を、遊技盤側の情報を中継する遊技盤側データ出力端子と、パチンコ機本体側の情報を中継するパチンコ機本体側データ出力端子とに分け
ると共に、上記遊技盤側データ出力端子を遊技盤の裏面側に設けられた中継基板内に配置し、上記パチンコ機本体側データ出力端子をパチンコ機本体側に設けられたパチンコ機本体用中継基板内に配置し、遊技盤側データ出力端子とパチンコ機本体側データ出力端子とを
▲２▼訂正事項ｂ
　明細書段落【０００４】の内容
「【課題を解決するための手段】本発明は、上記に鑑み提案されたもので、」の後に「
遊技盤とパチンコ機本体とが分離自在なパチンコ機において、
「て、別個に配置する。」を「
ると共に、上記遊技盤側データ出力端子を遊技盤の裏面側に設けられた中継基板内に配置し、上記パチンコ機本体側データ出力端子をパチンコ機本体側に設けられたパチンコ機本体用中継基板内に配置し、遊技盤側データ出力端子とパチンコ機本体側データ出力端子とを別個に設けたものである。
　と訂正する。
▲３▼訂正事項ｃ
　明細書段落【０００５】を削除して、それ以下の段落番号を１繰り上げる。
▲４▼訂正事項ｄ
　明細書段落【００２７】の内容
「別個に配置し、これらの情報」を、「
遊技盤側データ出力端子を遊技盤の裏面側に設けられた中継基板内にパチンコ機本体側データ出力端子をパチンコ機本体側に設けられたパチンコ機本体用中継基板内に
データ出力
（５４）【発明の名称】
パチンコ機
（５７）【特許請求の範囲】
　【請求項１】　遊技盤とパチンコ機本体とが分離自在なパチンコ機において、パチンコ機から外部の管理装置側へ出力される各種の外部出力情報を中継するデータ出力端子を、遊技盤側の情報を中継する遊技盤側データ出力端子と、パチンコ機本体側の情報を中継するパチンコ機本体側データ出力端子とに分け
ると共に、上記遊技盤側データ出力端子を遊技盤の裏面側に設けられた中継基板内に配置し、上記パチンコ機本体側データ出力端子をパチンコ機本体側に設けられたパチンコ機本体用中継基板内に配置し、遊技盤側データ出力端子とパチンコ機本体側データ出力端子とを
【発明の詳細な説明】
　　　【０００１】
　【産業上の利用分野】
　本発明は、遊技盤とパチンコ機本体とを分離自在とした所謂分離式パチンコ機に係わり、詳しくは、パチンコ機から管理コンピュータヘ出力される各種の外部出力情報を中継するデータ出力端子の配置を改良したパチンコ機に関する。
　　　【０００２】
　【従来の技術】
　パチンコ機は、近年、新しい技術が導入され、電子化が進むと共に、特に管理コンピュータを用いて複数のパチンコ機を一括管理するようになってから、構造が更に複雑になり、遊技盤の背面に設けられた遊技制御手段関連、パチンコ機本体に設けられたパチンコ機本体制御手段関連、及び電源系からの配線が増加し、複雑化する傾向にあった。
　　　【０００３】
　【発明が解決しようとする課題】
　それ故に、例えば、遊技盤をパチンコ機本体に取り付ける際や、パチンコ機と管理コンピュータを接続する際に、各種配線を正確に接続することが煩雑になり、製造や設置及び保守点検に手間がかかり、これがコストや人件費の上昇につながっていた。
　　　【０００４】
　【課題を解決するための手段】
　本発明は、上記に鑑み提案されたもので、
遊技盤とパチンコ機本体とが分離自在なパチンコ機において、
ると共に、上記遊技盤側データ出力端子を遊技盤の裏面側に設けられた中継基板内に配置し、上記パチンコ機本体側データ出力端子をパチンコ機本体側に設けられたパチンコ機本体用中継基板内に配置し、遊技盤側データ出力端子とパチンコ機本体側データ出力端子とを別個に設けたものである。
　　　【０００５】
　【作用】
　本発明では、データ出力端子が、遊技盤側の情報を中継する遊技盤側データ出力端子と、パチンコ機本体側の情報を中継するパチンコ機本体側データ出力端子との種類別にそれぞれ別個に配置される。したがって、遊技盤をパチンコ機本体に組み付ける際に、配線処理が容易で、外部出力用の配線を遊技盤からパチンコ機本体へ接続する必要がなくなり、作業性が向上する。また、配線の接続も間違えにくくなり、しかも配線が邪魔に成らず保守点検の能率が良くなると共に、パチンコ機本体側の中継基板の大型化を防ぐことができ、機構設計が容易になり、コストも低減する。
　　　【０００６】
　【実施例】
　以下本発明を図面の実施例について説明する。
　　　【０００７】
　図１はパチンコ機１の概略背面図、図２は図１の部分拡大図、図３は図２の平面図、図４は図２の側面図、図５は図４の断面図、図６は図２の詳細図、図７は図２のＡ−Ａ線断面図、図８は図２の部分背面図であって、外枠に開閉可能に蝶着した前面枠２の背面側には、遊技盤２ａを収納可能な金属板からなるリヤプレート３を添設すると共に、このリヤプレート３の背面側にベース本体４等の機構枠体を添設する。また、前記リヤプレート３には蝶番５を介して可動枠体６を開閉可能に蝶着する。この可動枠体６は分離可能な上枠体部分６ａと下枠体部分６ｂとからなり、上枠体部分６ａには賞球排出装置を設けると共に賞球誘導路や賞球放出路等を設ける。尚、遊技盤２ａの裏面には入賞装置等、主に遊技盤側の制御を行う遊技制御回路ボックス９′が遊技盤２ａに対して着脱自在に装着されている。一方、下枠体部分６ｂにはセーフ球通路やセーフ球検出装置等を設ける。また、前記可動枠体６には遊技盤２ａの後方に臨む球寄せカバー７を設ける。そして、この球寄せカバー７の下方位置のリヤプレート３には固定枠体８を設けて発射制御装置、入賞制御装置、賞球制御装置等の処理を行う本体制御回路（ボックス）９を設ける。尚、この本体制御回路ボックス９は前記遊技制御回路（ボックス）９′と信号線によって接続され、前記入賞球検出装置がセーフ球を検出した場合、前記本体制御回路（ボックス）９は前記遊技制御回路（ボックス）９′に、入賞口に対応した賞球数を問合わせる信号を発生させ、該問合わせ信号の発生に基づいて前記遊技制御回路（ボックス）９′は各入賞口に対応した賞球数を表す賞球数信号を発生させ、該賞球数信号の発生に基づいて前記賞球制御装置が所定数の賞球を払い出すようにしたものである。更に、前記固定枠体８の下方に打球発射装置の駆動部１０や上皿から溢れた球を下皿に誘導する下皿誘導樋１１等を設ける。
　　　【０００８】
　前記ベース本体４には遊技者に払い出す賞球を貯留する上タンク１２を設けると共に、該上タンク１２の下方に賞球誘導樋１３を着脱可能に設けて、前記した上枠体部分６ａ内に収設した賞球誘導路に連通可能とする。
　　　【０００９】
　前記ベース本体４は、主に上タンク１２をリヤプレート３に止着するための部材であって、リヤプレート３側に空部を有するほゞ皿状をなし、前記リヤプレート３の上方の所定位置に位置決めボス１４ａ及び１４ｂによって位置決めされた上、止着ビス１５等で適宜固定する。尚、このベース本体４には係合溝が設けてあり、後述する上タンク１２の係合片が係合するようになっている。
　　　【００１０】
　更に、このベース本体４には、前記した可動枠体６を止着するロック部材１８や、後述する賞球誘導樋１３から球が流出するのを防ぐストッパー部材等を設ける。
　　　【００１１】
　また、前記ベース本体４の一隅には、後述する球検出装置１９を着脱可能に止着する検出装置嵌入部２０を設ける。また、この検出装置嵌入部２０の下方には電気的コネクタ手段２１を固定すると共に配線ケーブルを押え込む止着部材２２を設け、この止着部材２２の傍には本体制御回路（ボックス）９の配線ケーブルを逃すための凹陥部２３を形成する。
　　　【００１２】
　前記上タンク１２は、リヤプレート３にベース本体４を介して止着される上面及び背面側が開放する箱状であって、前記したベース本体４の凹溝に当該上タンク１２の開放周縁を嵌合して止着ビス１５ａ等でベース本体４に適宜固定する。前記上タンク１２の底部１２ａの一隅には縦横共に複数列の球が同時に通過できるほゞ矩形の連通孔２４として、例えばＨ１＝４０ｍｍ、Ｈ２＝８５ｍｍを開設し（球径＝１１ｍｍ）、この連通孔２４に向けて緩い傾斜Ａ、Ｂ、Ｃを設けると共に、階段状のリブＤを複数設けて、開口部付近において球が互いに押圧し合って詰まってしまう所謂ブリッジ現象或は俵積み現象を起こさないように適宜工夫した形状としてある。
　　　【００１３】
　前記のような上タンク１２の一隅には球検出装置１９を臨ませる。この球検出装置１９は、ケース７０内にユニット化されており、いつでも着脱が容易である。
　　　【００１４】
　即ち、前記ケース７０は、例えば一面が開口する浅い箱枠状であってプラスチック材からなり、底板部７１及び一方側の側板部７２に切欠口７３及び切欠部７４が夫々設けてある。このケース７０内には配線基板７５を収設し、該配線基板７５には必要な配線をプリント配線すると共に、検出スイッチのソケット７６を設ける。また、この配線基板７５には発光源として例えば発光ダイオード７７を植設し、この発光ダイオード７７の光が遊技盤２ａの前面側に届くようにする。
　前記配線基板７５にはコネクタ手段２１の一方を構成する例えば雄型の端子部２１ａをケース７０の底板部７１に開設した切欠口７３に臨むように設ける。この雄型の端子部２１ａに対応してコネクタ手段２１の他方を構成する雌型の端子部２１ｂはベース本体４に設けてあり、前記ケース７０を着脱することにより雄型の端子部２１ａと雌型の端子部２１ｂとが電気的に継脱される。また、前記連通孔２４側の側壁部を連通孔２４の幅で側方に膨出させて凸室２５を設け、該凸室２５に、上方を上タンク１２側のボス３４ａにインサート成型した揺動支軸２６により揺動自在とした揺動部材である検出レバー２７を収納する。前記ソケット７６には、検出スイッチとして例えばマイクロスイッチ３１を着脱自在に嵌着し、該マイクロスイッチ３１から揺動自在に延出するアクチュエータ３２の端部を前記ケース７０の側板部７２に開設した切欠部７４から若干突出するようになす。そして、前記ケース７０をパチンコ機１の本体側であるベース本体４に止着した状態のときに、前記検出レバー２７の作動部３３に臨むようにする。これにより、前記検出レバー２７は、上タンク１２に充填した球の押圧を受け、揺動支軸２６を支点として揺動し、作動部３３をアクチュエータ３２側に突出させる。
　　　【００１５】
　更に、前記ケース７０には、当該ケース７０をベース本体４に止着するための係合突起７８を設けると共に操作片７９を設ける。この係合突起７８及び操作片７９は、ケース７０の上板部８０から背板部８１にかけて切り込んだ２本の平行する切込溝８２，８２によって形成してあり、前記係合突起７８をベース本体４の仕切板部８３に開設した係合口８４に弾着することにより、ケース７０をベース本体４に止着することができ、ケース７０を外すときには、操作片７９を係合突起７８が係合口８４から外れるように押し曲げながら引き抜けばよい。このとき、コネクタ手段２１の一方の端子部２１ｂがベース本体４に固定されているので、コネクタ手段２１の両端子部２１ａ，２１ｂの接続も外れる。尚、図示の実施例ではベース本体４に設けた検出装置嵌入部２０の側部がケース７０の側板部７２に摺接すると共に、ベース本体４の仕切板部８３にケース７０の背板部８１が摺接して側部及び仕切板部８３がケース７０のガイドになっている。
　　　【００１６】
　そして、前記した配線基板７５に植設した発光ダイオード７７は、例えば完了表示灯として利用する。このため図示の実施例では発光ダイオード７７を３個並設して光量を増大させている。尚、図示していないが、ベース本体４や機構枠体及び遊技盤２ａには前記発光ダイオード７７の光が遊技盤２ａの遊技レール（図示せず）で囲まれた遊技部外の左右上方の前面に届くように透光部が設けてある。
　　　【００１７】
　前記検出装置嵌入部２０と反対側の端部付近には、前記本体制御回路ボックス９からの配線ケーブル及び不正防止としてパチンコ機本体に設けた磁気検出手段、金枠開放検出手段等の配線ケーブルを管理コンピュータ（図示せず）に中継する中継基板取付部１６が形成されると共に、この中継基板取付部１６には、中継基板８５が止着されている。
　　　【００１８】
　この中継基板８５には発光ダイオード８６を設けて、前記した完了表示灯と同様に光を遊技盤２ａの前面に導いて賞球表示灯とする。
　　　【００１９】
　また、本体制御回路（ボックス）９と接続する本体端子９１、遊技制御回路（ボックス）９′と本体制御回路（ボックス）９と交信するための接続端子９２、パチンコ機本体に設けてあるスピーカと接続するスピーカ端子９３が設置されている。
　　　【００２０】
　一方、パチンコ島に設置してある電源装置（図示せず）と接続する本体電源端子８７、前記本体電源端子８７から分電された遊技制御回路（ボックス）９′の遊技制御回路電源端子９４、及び本体制御回路（ボックス）９の電源端子９５等が設置されていると共に、遊技制御回路（ボックス）９′及び本体制御回路（ボックス）９のヒューズ９８，９９、前記本体電源端子８７（ＡＣ２４Ｖ）に誤って、例えばＡＣ１００Ｖの電源を繋いでも遊技制御回路（ボックス）９′及び本体制御回路（ボックス）９が破壊されないように過電圧防止回路１００を配設し、異常電圧が入力されると異常検出表示灯９７が点灯するようになっている。また、前記遊技制御回路（ボックス）９′及び本体制御回路ボックス９のヒューズ切れ表示灯９６、そして遊技制御回路（ボックス）９′用のオンオフ切換のメインスイッチ（トグルスイッチ）１０１が配設されている。
　　　【００２１】
　更に、中継基板８５には、不正防止としてパチンコ機本体に設置される磁気検出回路及び金枠開放検出回路と接続する磁気不正防止回路端子８８及び金枠開放検出回路端子８９、入賞球数信号、アウト球数信号、補給信号、打球発射停止信号等を制御する本体制御回路（ボックス）９及び前記端子８８、８９等を一括して管理コンピュータに接続するためのデータ出力端子９０が設置されている。
　　　【００２２】
　一方、遊技盤２ａの背面に装着された遊技制御回路（ボックス）９′から管理コンピュータに出力される各種の情報データ、例えば大当りの回数データ、始動回数データ、大当り時の継続回数データ等を出力するデータ出力端子９′ａを取着した中継基板９′ｂが臨む開口窓１７を隣接して開設する。
　　　【００２３】
　この際、中継基板９′ｂは、遊技制御回路（ボックス）９′と同様、遊技盤２ａの背面に装着されており、開口窓１７を通して、データ出力端子９′ａは管理コンピュータと接続するように配置されている。
　　　【００２４】
　このようにして、遊技盤２ａ側のデータ及びパチンコ機本体側のデータは容易に管理コンピュータに伝送することが可能になる。
　　　【００２５】
　以上、本発明を図面の実施例について説明したが、本発明は上記した実施例に限定されるものではなく、特許請求の範囲に記載した構成を変更しない限り適宜に実施できる。
　　　【００２６】
　【発明の効果】
　以上のように、本発明によれば、データ出力端子を、遊技盤側の情報を中継する遊技盤側データ出力端子と、パチンコ機本体側の情報を中継するパチンコ機本体側データ出力端子とに分けて、
遊技盤側データ出力端子を遊技盤の裏面側に設けられた中継基板内に、パチンコ機本体側データ出力端子をパチンコ機本体側に設けられたパチンコ機本体用中継基板内に
データ出力
【図面の簡単な説明】
　　【図１】
　パチンコ機の概略背面図である。
　　【図２】
　図１の部分拡大図である。
　　【図３】
　図２の平面図である。
　　【図４】
　図２の側面図である。
　　【図５】
　図４の断面図である。
　　【図６】
　図２の詳細図である。
　　【図７】
　図２のＡ−Ａ線断面図である。
　　【図８】
　図２の部分背面図である。
　　【符号の説明】
　　　１　　　パチンコ機
　　　２ａ　　遊技盤
　　　９′ａ　データ出力端子
　　　９′ｂ　中継基板
　　　８５　　中継基板
　　　９０　　データ出力端子